(57)【要約】  本発明は、複数個のサブセルで構成される多重セルをサポートする無線通信システムにおけるデータを送信する方法及び装置に対し、本発明の方法は、上記複数個のサブセルに対して、それぞれ、少なくとも一つの仮想送信ポートを接続するステップと、上記複数個のサブセルのうち少なくとも２個のサブセルと端末間のチャネル状態に基づいて上記端末に対する送信モードを決定するステップと、上記決定された送信モードに基づいて該当するサブセルと接続した少なくとも一つの仮想送信ポートを通じて上記端末にサブセル別データを送信するステップとを含む。
2015510312.tif 000002
【特許請求の範囲】
【請求項１】
複数個のサブセルで構成される多重セルをサポートする無線通信システムにおけるデータを送信する方法であって、
前記複数個のサブセルに対して、それぞれ、少なくとも一つの仮想送信ポートを接続するステップと、
前記複数個のサブセルのうち少なくとも２個のサブセルと端末との間のチャネル状態に基づいて前記端末に対する送信モードを決定するステップと、
前記決定された送信モードに基づいて、該当するサブセルと接続された少なくとも一つの仮想送信ポートを通じて前記端末にサブセル別データを送信するステップとを含むことを特徴とするデータ送信方法。
【請求項２】
前記少なくとも一つの仮想送信ポートを通じて送信されるデータは、
送信のために入力されたデータに、プリコーディングのためのプリコーディングマトリックスと仮想送信ポート接続のための特定マトリックスが乗算された信号であることを特徴とする請求項１に記載のデータ送信方法。
【請求項３】
前記特定マトリックスは、前記サブセル別データと共に伝送される参照信号が各仮想送信ポートで同一な出力で混合される条件を満足することを特徴とする請求項２に記載のデータ送信方法。
【請求項４】
前記特定マトリックスは、前記端末が各サブセルから受信する参照信号の和が前記仮想送信ポートを利用しない既存のシステムで各サブセルから受信する参照信号の和と同一な条件を満足することを特徴とする請求項２に記載のデータ送信方法。
【請求項５】
各サブセルは、他のサブセルと異なる仮想送信ポートに接続されることを特徴とする請求項１に記載のデータ送信方法。
【請求項６】
各サブセルは、他のサブセルと同一な仮想送信ポートと接続されることを特徴とする請求項１に記載のデータ送信方法。
【請求項７】
前記端末の送信モードは、前記端末が前記少なくとも２個のサブセルのうちサービングサブセルから受信した信号の信号強度と隣接サブセルから受信した信号の信号強度との間の差がしきい値以下である隣接サブセルが存在する場合、前記サービングサブセルと前記隣接サブセルが同一な周波数リソースを利用して前記端末にサブセル別データ送信を実行する協力モードを含むことを特徴とする請求項１に記載のデータ送信方法。
【請求項８】
複数個のサブセルで構成される多重セルをサポートする無線通信システムにおけるデータを送信する基地局であって、
複数のアンテナを備えて端末に無線ネットワークを通じてサブセル別データを送信する送信部と、
前記複数個のサブセルに対して、それぞれ、少なくとも一つの仮想送信ポートを接続し、前記複数個のサブセルのうち少なくとも２個のサブセルと端末との間のチャネル状態に基づいて前記端末に対する送信モードを決定し、前記決定された送信モードに基づいて該当するサブセルと接続した少なくとも一つの仮想送信ポートを通じて前記端末にサブセル別データを送信する動作を制御する制御部とを含むことを特徴とする基地局。
【請求項９】
前記少なくとも一つの仮想送信ポートを通じて送信されるデータは、
送信のために入力されたデータにプリコーディングのためのプリコーディングマトリックスと仮想送信ポート接続のための特定マトリックスが乗算された信号であることを特徴とする請求項８に記載の基地局。
【請求項１０】
前記特定マトリックスは、前記サブセル別データと共に伝送される参照信号が各仮想送信ポートから同一な出力で混合される条件を満足することを特徴とする請求項９に記載の基地局。
【請求項１１】
前記特定マトリックスは、前記端末が各サブセルから受信する参照信号の和が前記仮想送信ポートを利用しない既存のシステムで各サブセルから受信する参照信号の和と同一な条件を満足することを特徴とする請求項９に記載の基地局。
【請求項１２】
各サブセルは、他のサブセルと異なる仮想送信ポートに接続されることを特徴とする請求項８に記載の基地局。
【請求項１３】
各サブセルは、他のサブセルと同一な仮想送信ポートと接続されることを特徴とする請求項８に記載の基地局。
【請求項１４】
前記端末の送信モードは、前記端末が前記少なくとも２個のサブセルのうちサービングサブセルから受信した信号の信号強度と隣接サブセルから受信した信号の信号強度との間の差がしきい値以下である隣接サブセルが存在する場合、前記サービングサブセルと前記隣接サブセルが同一な周波数リソースを利用して前記端末にサブセル別データ送信を実行する協力モードを含むことを特徴とする請求項８に記載の基地局。
【発明の詳細な説明】
【技術分野】
【０００１】
本発明は、無線通信システムに関し、特に、空間分割多重アクセス(space division multiple access)方式のダウンリンク通信をサポートする無線通信システムにおけるデータを送信する方法及び装置に関する。
【背景技術】
【０００２】
次世代移動通信及び無線通信システムでは、多重セル環境における向上したデータ送信率とシステム容量が要求されている。このような要求に応じて、複数のアンテナを利用してデータを送信する多重入出力システム(Multi-Input Multi-Output(ＭＩＭＯ))に対する研究が進行されており、多重セル環境におけるデータの送信率を向上させるためにチャネル状態情報を利用する、閉ループ方式の多重入出力システムは、チャネル状態情報を利用して送信性能を向上させる。
【０００３】
一般的に、多重入出力システムで、端末は、受信されたデータを利用して受信チャネルに対する情報を知っていることはできるが、基地局は、チャネル状態情報を分かることができない。したがって、チャネル状態情報を利用してシステムの性能を向上させるためには、基地局がチャネル状態情報を知らなければならない。
【０００４】
閉ループＭＩＭＯを利用するシステムは、基地局がサービスする端末の送信チャネルに対する情報を利用してデータを送信する。この時に、基地局はサービスしている端末に対する送信チャネルに対する情報を知ることができないので、端末からチャネルに対する情報、例えば、ＣＱＩ（Channel Quality Indicator）、ＰＭＩ（Pre-coding Matrix Index）などのフィードバックを受けるようになる。
【０００５】
端末は、基地局から受信された信号を利用してデータが受信されたチャネルを推定する。推定したチャネルを利用して、端末は、基地局がデータを送信する時にチャネル状況に適合したＭＣＳ（Modulation Coding Scheme）を適用するためにＣＱＩを計算する。また、推定されたチャネルとコードブックを利用してチャネル状況に最も適合したチャネル係数、すなわちコードブックのプリコーディングベクトルを既に知っているコードブックで選択する。端末が推定されたチャネルを利用して求めたチャネル状態情報は、基地局と端末との間のフィードバックチャネルを通じて送信される。基地局は、端末から送信されたチャネル情報及び選択されたＭＣＳとコードブックのプリコーディングベクトルを利用してデータを端末に送信する。
【０００６】
現在、閉ループＭＩＭＯシステムに対する多くの研究は行われており、単一セルだけでなく多重セル環境でも閉ループＭＩＭＯ方式が適用されて利用されている。しかし、多重セル環境で他のセルからの干渉による影響を減らすための方法に対しては研究があまり進められていない。
【０００７】
特に、セルの縁に存在する端末は、自分が属したセルの基地局からの信号が弱いために、隣接セルの基地局がその隣接セルに属した端末によって干渉を受けるようになる。したがって、このようなセル間干渉によってセルの縁に位置した端末は性能が低下する問題点がある。
【０００８】
また、多重セル環境で多重セルを構成する各サブセルは、送信アンテナ数に関係なく、同一なセル識別子（例えば、ＰＣＩＤ（Physical Cell ID）が割り当てられる。このような状況でデータ使用量の増加によってセル配置が密集されると、セル間の干渉が増加してネットワークジオメトリ（geometry）が減少するだけでなく、セル間ハンドオーバに従うオーバヘッドにより性能が減少する問題点がある。
【発明の概要】
【発明が解決しようとする課題】
【０００９】
本発明は、無線通信システムにおけるデータを送信する方法及び装置を提供する。
また、本発明は、仮想送信ポートを含む無線通信システムの基地局から端末にデータを効率的に送信する方法及び装置を提供する。
【課題を解決するための手段】
【００１０】
本発明の実施形態によって複数個のサブセルで構成される多重セルをサポートする無線通信システムにおけるデータを送信する方法は、上記複数個のサブセルに対してそれぞれ、少なくとも一つの仮想送信ポートを接続するステップと、上記複数個のサブセルのうち少なくとも２個のサブセルと端末間のチャネル状態に基づいて上記端末に対する送信モードを決定するステップと、上記決定された送信モードに基づいて該当するサブセルと接続した少なくとも一つの仮想送信ポートを通じて上記端末にサブセル別データを送信するステップとを含む。
【００１１】
また、本発明の実施形態によって、複数個のサブセルで構成される多重セルをサポートする無線通信システムにおけるデータを送信する基地局は、複数のアンテナを備えて端末に無線ネットワークを通じてサブセル別データを送信する送信部と、上記複数個のサブセルに対して、それぞれ、少なくとも一つの仮想送信ポートを接続し、上記複数個のサブセルのうち少なくとも２個のサブセルと端末間のチャネル状態に基づいて上記端末に対する送信モードを決定し、上記決定された送信モードに基づいて該当するサブセルと接続した少なくとも一つの仮想送信ポートを通じて上記端末にサブセル別データを送信する動作を制御する制御部とを含む。
【図面の簡単な説明】
【００１２】
【図１】本発明の実施形態による無線通信システムにおけるデータを送信する装置を表す図である。
【図２】２個のサブセルが一つの端末にデータを送信する一例を表す図である。
【図３】端末とサブセルが配置された状況で受信信号強度とサブセルの仮想送信ポートが構成されている場合の一例を表す図である。
【図４】本発明の実施形態による無線通信システムにおけるデータを送信する方法を表す図である。
【発明を実施するための形態】
【００１３】
下記で本発明を説明するにあって、関連した公知機能または構成に対する具体的な説明が本発明の要旨を不明にすると判断される場合にはその詳細な説明を省略する。以下、添付された図面を参照して上記した本発明の実施形態を具体的に説明する。
【００１４】
本発明の主な要旨は、仮想送信ポートを含む無線通信システムの基地局から端末にデータを効率的に送信することである。
【００１５】
以下、図面を参照して、本発明の実施形態による無線通信システムの基地局から端末にデータを送信する方法及び装置に対して説明する。
【００１６】
図１は、本発明の実施形態による無線通信システムにおけるデータを送信する装置を示す。
【００１７】
本発明の実施形態によるデータ送信装置は、スケジューラ１１０、デジタル部１３０及びアンテナ部１５０を含む。また、デジタル部１３０は、プリコーディング部１３１及び仮想送信ポート生成ブロック１３３を含む。
【００１８】
ここで、本発明の実施形態は、仮想送信ポートと各サブセルが接続した無線通信システムで動作する。したがって、無線通信システムにおける仮想送信ポートと各サブセルを接続する動作に対して説明する。この時、仮想送信ポートと各サブセルを接続する動作は、デジタル部１３０で次のように行われる。
【００１９】
また、上記データ送信装置が、送信部と制御部を含んで具現されることができることは当業者にとって明らかである。この場合、上記制御部は、本発明の実施形態によって仮想送信ポートと各サブセルを接続する動作を制御する。
【００２０】
複数のサブセルが同一なセルＩＤを使用する場合に、スケジューリング情報共有のために全てのサブセルは、同一な制御チャネルとチャネル推定のためのダウンリンク（ＤＬ）参照信号情報を知らなければならない。参照信号の場合、サブセル別に異なるように設定されてもよく、同一に設定されてもよい。
【００２１】
仮想送信ポートは、このような制御チャネルと参照信号をサブセルで共有されるように信号を混合するポートである。例えば、ＬＴＥｒｅｌ．９基盤の４Ｔｘシステムで、各アンテナ別に参照信号が異なるように送信されるＣＲＳシステムを仮定する時、仮想送信ポートに送信される信号は４個のＣＲＳ０、１、２、３を混合して送信されるようにする。
【００２２】
このために、仮想送信ポート生成部１３０で、仮想送信ポートに送信される信号を生成する方法は、既存システムのモデムポート（すなわち、ＣＲＳポート）出力に特定のマトリックスを乗算する方法を使用する。この時に使用されるマトリックスは、各ＣＲＳポートから出る出力信号が、全部、同一な出力で混合される条件を満たすべきである。
【００２３】
仮想送信ポート生成部１３３に含まれた仮想送信ポート０〜ｍには、プリコーディング部１３１でプリコーディングされたＣＲＳポート０〜ｎの信号が同一な出力で分配される。また、仮想送信ポート０〜ｍから送信される信号はアンテナ部１５０に送信される。
【００２４】
参照信号は、チャネル推定のための信号であるため、端末が多様なサブセルから受信する参照信号の和が仮想送信ポートを利用しない既存システムの値と同一でなければならない。
【００２５】
以下、仮想送信ポートをＶポートと称する。上記Ｖポートに送信される信号を生成するために乗算されるマトリックスは次の条件を満たすべきである。まず、ＣＲＳポート信号が同一なウェイト（weight）で混合されなければならない。また、制御チャネル信号が同一に送信されるように混合されなければならない。例えば、４ＴｘシステムでＳＦＢＣ（Space-Frequency Block Coded）を通じて各アンテナ別に制御チャネルが分離されて送信される場合、２Ｔｘセルで同一な制御チャネルを受信すべきである。
【００２６】
Ｖポートに送信される信号を生成するためにマトリックス（以下、共同マトリックス（common matrix））が乗算されると、各Ｖポートに送信されるデータトラフィックもマトリックスが乗算されて信号が混合されるようになる。したがって、最終のＶポート別に希望のデータトラフィックが送信されるように、まず、データトラフィックに別途のマトリックスを乗算する。このような別途のマトリックス(以下、プリコーディングマトリックス（pre-coding matrix）)は、共同マトリックスと乗算される時にＣＲＳポートに入力されたデータトラフィックが端末で区分できるように選択される。すなわち、プリコーディングマトリックスは、データを区分できるように設定され、端末にはこのように用いられるプリコーディング値を通知する。
【００２７】
また、仮想送信ポート生成部１３０は、生成された仮想送信ポートを各サブセルに接続する。この時、４Ｔｘシステムの仮想送信ポートも４個のＶポートに出力される。２Ｔｘの各サブセルは２個のＶポートに接続される。この時にＶポート接続する方法は、次のように２種類の方法に分けられる。
【００２８】
最初に、４個のＶポートを２個の２Ｔｘサブセルに１：１に接続する方法を使用する。２個のサブセル＃１とサブセル＃２がある時、サブセル＃１とサブセル＃２は、それぞれ、Ｖポート｛０, １｝と｛２, ３｝またはＶポート｛０, ２｝、｛１, ３｝に各々接続され得る。Ｖポートに接続されることができる制約は、各Ｖポートに送信されるデータトラフィックを端末が区分できるプリコーディングマトリックスが存在するか否かに依存する。すなわち、Ｖポート｛０, ３｝、｛１，２｝に接続する時に、端末に通知することができるプリコーディングマトリックスが存在しない場合には接続できない。このような接続の長所は、２サブセル間に異なるプリコーディングマトリックスを使用することによって、２サブセルに対して空間分割多重送信ができることである。
【００２９】
次に、４個のＶポートのうち一つを共通でサブセルに接続する方法を使用する。例えば、Ｖポート＃１を共通で使用すれば、サブセルは、Ｖポート｛０, １｝、｛０, ２｝または｛０, ３｝のうち一つを選択して接続できる。最初の方法と同様に、Ｖポート接続はプリコーディングマトリックスによって制約されることがある。このような接続方法の特徴は、サブセルが一つのＶポートを共有することによってサブセル間の協力送信が容易であることである。一つのセルＩＤを共有できる４Ｔｘセルの個数によって、最大２倍までのサブセル間の協力送信が可能である。
【００３０】
一つを共通で接続する方法の場合には、サブセル間にＶポートマッチングが再使用（reuse）３として用いられることができる。同一なセルＩＤを使用するサブセルが６個である場合、最初の方法は再使用２として３個のサブセルが同一なＶポート対を有するようになる。例えば、Ｖポート｛０, １｝に接続される３個のサブセルとＶポート｛２, ３｝に接続される３個のサブセルになる。一つのＶポートを共通で使用する場合には、Ｖポート｛０, １｝に２個、Ｖポート｛０, ２｝に２個、Ｖポート｛０, ３｝に２個のサブセルを接続することができる。
【００３１】
同一なセルＩＤを使用するサブセル間に、Ｖポートが同一であると、同一なプリコーディングマトリックスを使用するので、端末がそれを区分できない。したがって、スケジューラ１１０では、同一なＶポートを使用するサブセル間には空間的分離を通した空間分割送信モードを設定すべきであり、サブセル間Ｖポート再使用のための送信モード設定方法は、次のようである。
【００３２】
Ｖポートに接続されたサブセルは、Ｖポート接続構成によって、サブセル間データトラフィックの衝突によって正しい信号受信ができなくなることがある。例えば、２個のサブセルが同一なセルＩＤを使用する異なるモデムのＶポート｛０, １｝に各々接続すれると、異なるデータトラフィックが送信されてもプリコーディングマトリックスを同一に使用するので、チャネル推定にミスが生じるようになる。
【００３３】
図２は、２個のサブセルが一つの端末にデータを送信する一例を示す。
図２のように２個のサブセルから端末に送信されるチャネルがそれぞれ、
【００３４】
【数１】
2015510312.tif 000003
【００３５】
であり、 プリコーディングマトリックスが
【００３６】
【数２】
2015510312.tif 000004
【００３７】
であると仮定すると、異なるＶポート対を使用する場合には、下記の＜数式１＞のように希望のサブセルからの信号だけを区分することができる。
【００３８】
【数３】
2015510312.tif 000005
【００３９】
しかし、同一なＶポート対を使用する場合には、下記の＜数式２＞のように区分できない信号要素が残っていてデータポリューション（data pollution）が発生する。
【００４０】
【数４】
2015510312.tif 000006
【００４１】
したがって、この場合には、区分できない信号がデコーディングされない（すなわち、有効でない）信号強度で受信されるように端末に対する２サブセルからの信号強度の差が維持されなければならない。
【００４２】
サブセル送信モードは、Ｖポート構成によってサブセル間Ｖポートを区分して使用する場合と一つのＶポートを共有する場合によって、ＭＩＭＯ／単一入力多重出力（ＳＩＭＯ）送信モード、協力送信モード及び一般送信モードに区分される。
【００４３】
モード区分は、端末が受信するサブセルからの信号強度によって設定されるので、端末別に区分される。したがって、モード区分方法は、端末とサブセル間の信号強度とサブセルのＶポート構成によって設定される。
【００４４】
第１に、まず、Ｖポートを区分して使用する場合、すなわち、４ＴｘをＶポート｛０, １｝とＶポート｛２, ３｝に区分する場合には、協力送信モードと一般送信モードに区分する。協力送信モードは、同一なＶポート対を有するサブセルからの信号強度の差が定められたしきい値以下であるので、＜数式２＞で希望しない信号によってデータポリューションが起こる場合に設定される。図３のように端末とサブセルが配置された状況で、受信信号強度とサブセルのＶポートが構成されている場合を一例として説明する。すなわち、端末のサービングサブセルＡで受信した信号強度ＰＡと同一なＶポート対を有した隣接サブセルＢで受信した信号強度ＰＢとの差が次の＜数式３＞を満足すると、該当端末は協力送信モードに設定される。
【００４５】
【数５】
2015510312.tif 000007
【００４６】
ここで、Ｐthは、データポリューションが発生する信号強度差のしきい値である。端末は、同一なセルＩＤを使用するサブセルのうちサービングサブセルと同一なＶポート対を有する隣接サブセルのうち一つ以上のサブセルが＜数式３＞を満足すると、協力送信モード端末になる。また、＜数式３＞を満足するサービングサブセルを除外した全てのサブセルは、該当端末の協力送信サブセルになる。協力送信モード端末は、スケジューリング時に、全ての協力送信サブセルが同一な周波数領域で同一信号を該当端末に送信するようにスケジューリングされなければならない。この場合には、２Ｔｘストリームに対してＳＩＭＯとＭＩＭＯ送信の両方が可能である。すなわち、一つまたは二つのデータストリームの両方を送信することができる。
【００４７】
協力送信モード条件を満足しない端末に対しては同一なＶポート対を有するサブセル間に制約無しでチャネル状態によってＳＩＭＯとＭＩＭＯ送信の両方可能である。協力送信モード端末と非協力送信モード端末が同時に同一な周波数リソースを要求する場合には定められたスケジューリングマトリックスによって非協力送信モード端末をそれぞれのサブセルに割り当てるか、または協力送信モード端末を協力送信サブセルに割り当てる。
【００４８】
第２に、Ｖポートを共有して使用する場合、すなわち、Ｖポート｛０, １｝、Ｖポート｛０, ２｝及びＶポート｛０, ３｝のように区分する場合には、ＭＩＭＯ／ＳＩＭＯ送信モードと協力送信モード、一般送信モードに区分する。この場合には、全てのサブセルがＶポート０を共有するので、Ｖポート対に関係なく同一なセルＩＤを使用するサブセルのうち一つ以上が＜数式３＞を満足すると、Ｖポート０に送信されるデータトラフィックに対してデータポリューションが発生することができる。しかし、Ｖポート０に対してはデータポリューションされても、残りの一つのＶポートが異なる場合には、ＳＩＭＯ送信でサブセル間、空間分割多重送信を実行することができる。
【００４９】
端末のサービングサブセルＡで受信した信号強度ＰＡと同一なＶポート対を有する隣接サブセルＢで受信した信号強度ＰＢの差が次の＜数式４＞を満足すると、端末はＭＩＭＯ送信モードとなる。この時、同一なセルＩＤで同一なＶポート対を有する全ての隣接するサブセルに対して＜数式４＞を満足しなければならない。
【００５０】
【数６】
2015510312.tif 000008
【００５１】
Ｐ＿ｍｉｍｏ＿ｔｈは、データポリューションが発生する信号強度差のしきい値より大きい値になる。ＭＩＭＯ送信モードの端末は、必要によって２Ｔｘストリームに対してＳＩＭＯとＭＩＭＯ送信の両方が可能である。
【００５２】
＜数式４＞を満足しない端末は、ＳＩＭＯ送信モードになり、該当端末に対する送信は共有されないＶポートを利用する。
【００５３】
Ｖポートを共有する構成で、協力送信モードは次の二つの場合に実行される。
まず、＜数式３＞を満足する同一なＶポート対を有する端末は、協力送信モードに設定される。この場合には、該当端末は、必ず協力送信モードで送信すべきであり、スケジューリング時に全ての協力送信サブセルが同一な周波数領域で同一信号を該当端末に送信するようにスケジューリングされなければならない。
【００５４】
＜数式３＞を満足しない場合には、共有されるＶポートを利用して協力送信が可能である。この場合には、端末の必要によって同一なセルＩＤを共有するサブセルから協力送信を受けることができる。
【００５５】
また、スケジューラ１１０は、上記設定された端末の送信モードに基づいて端末に対するデータをスケジューリングする。スケジューラ１１０で、スケジューリングは、サブセルごとに情報を交換する分散方式と一つの共通スケジューラで実行する中央集中方式を使用することができ、サブセル間情報を利用する共同作用できるスケジューリング（coordinated scheduling）を実行する。
【００５６】
スケジューラ１１０で実行する端末の送信モード及び仮想送信ポート構成によるスケジューリングは、次のような制約条件を有する。
【００５７】
ｉ）協力送信モードの端末が、先に選択された場合、協力送信サブセルの全ては、該当端末に対して要求されるリソースに対して同一信号を送信するようにスケジューリングする。
【００５８】
ｉｉ）ＳＩＭＯ送信モードに設定された端末が、先に選択された場合、チャネル状態と端末の要請が２ストリームの全てを利用できる状態であっても、１ストリームで送信するように制限される。この時に送信されるＶポートは共有されないＶポートである。
【００５９】
ｉｉｉ）ＭＩＭＯ送信モードに設定された端末が、先に選択された場合、チャネル状態と端末の要請などによって２ストリームまたは１ストリームを通じて送信される。
【００６０】
ｉｉｉｉ）協力送信モードではない端末が、先に選択された場合、同一なセルＩＤを有するサブセル間に、同一な周波数リソースでサブセル別に異なる端末に対するデータトラフィックを送信するように割り当てることができる。ただし、先に選択された協力送信モード端末に対する協力送信サブセルではない場合にだけ可能である。
【００６１】
図４は、本発明の実施形態による無線通信システムにおけるデータを送信する方法を示す。ここで、上記で各装置で実行される本発明の動作に対して詳細に説明したので、以下の説明ではその詳細な説明は省略する。
【００６２】
図４を参照すれば、ステップ４０１で、仮想送信ポート生成部１３０は、仮想送信ポートを各サブセルと接続する。この時、仮想送信ポート生成部１３０は、各サブセルに異なる仮想送信ポートを接続するか、または、複数個の仮想送信ポートのうち一つを共通で各サブセルに接続する。すなわち、各サブセルは他のサブセルと異なる仮想送信ポートに接続するか、または、同一な仮想送信ポートと接続することができる。このように、本発明の実施形態によって仮想送信ポートと各サブセルが接続した無線通信システムは、ステップ４０３乃至ステップ４０７のようにデータを送信する。
【００６３】
ステップ４０３で、スケジューラ１１０は、端末とサブセル間の信号強度及び仮想送信ポートとサブセルの接続構成を考慮して、サブセルに含まれた端末の送信モードを設定する。ここで、端末の送信モードは、ＭＩＭＯ／ＳＩＭＯ送信モード、協力送信モード及び一般モードのうち少なくとも一つを含む。
【００６４】
また、ステップ４０５で、スケジューラ１１０は、上記設定された端末の送信モードに基づいて上記端末に対するデータをスケジューリングする。
【００６５】
ステップ４０７で、デジタル部１３０は、上記スケジューリングされたデータをプリコーディングし、プリコーディングされたデータを仮想送信ポートを通じてアンテナ１５０に送信し、アンテナ１５０は、上記プリコーディングされたデータを受信器（図示せず）に送信する。
【００６６】
一方、本発明の詳細な説明では、具体的な実施形態に関し説明したが、本発明の範囲から抜け出しない範囲で色々な変形が可能なことは明らかである。したがって、本発明の範囲は説明された実施形態に限定されず、後述する特許請求の範囲だけでなくこの特許請求の範囲と均等なものにより決まらなければならない。
【符号の説明】
【００６７】
１１０  スケジューラ
１３０  デジタル部
１３１  プリコーディング部
１３３  仮想送信ポート生成ブロック
１５０  アンテナ部
【図１】
2015510312.tif 000009
【図２】
2015510312.tif 000010
【図３】
2015510312.tif 000011
【図４】
2015510312.tif 000012
【国際調査報告】
2015510312.tif 000013
2015510312.tif 000014
2015510312.tif 000015
2015510312.tif 000016